(57)【要約】      （修正有）【課題】キャップに形成されるＴＰ用閉止機構を部材輸送時に干渉しない構成とするとともに、自動生産ラインに寄与する吸着平面を持ち、しかも生産原価も廉価である飲料容器用キャップを提供する。【解決手段】凹陥部６の環状側壁側には、第１のタブ２０が形成されている。第１のタブ２０は、周囲に破断可能な第１の脆弱線２２が形成され、凹陥部６において枢着され、封鎖位置から第１の脆弱線を破断して得られる開口位置へ枢動が可能であり、開口位置において第１の開口部を形成する。第１のタブの近傍に位置し、周囲に破断可能な第２の脆弱線３２が形成され、第２の脆弱線を破断することにより第２の開口部を形成する第２のタブ３０を備えている。上部壁の中央には、供給装置１００によるキャップの吸着に寄与する平坦部８を備え、第１のタブを上部壁の頂部により形成される頂面より突出しないように形成する。【選択図】図１
0003178179.tif 000002
【実用新案登録請求の範囲】
【請求項１】
熱可塑性樹脂により成形され、
飲料用容器に取付ける装着部と、
該装着部から上方に延出して形成される環状側壁と、
該環状側壁の頂部から内側に形成され、キャップ頂面を形成する上部壁と、
該上部壁の前記環状側壁側に形成された凹陥部と、
該凹陥部の前記環状側壁側に形成されるとともに周囲に破断可能な第１の脆弱線が形成され、前記凹陥部において枢着され、封鎖位置から第１の脆弱線を破断して得られる開口位置へ枢動可能であり、開口位置において第１の開口部を形成する第１のタブと、
該第１のタブの近傍に位置し、周囲に破断可能な第２の脆弱線が形成され、該第２の脆弱線を破断することにより第２の開口部を形成する第２のタブと、
該上部壁の中央に形成され、供給装置によるキャップの吸着に寄与する平坦部を備え、
前記第１のタブを前記上部壁の頂部により形成される頂面より突出しないように形成したことを特徴とする飲料容器用キャップ。
【請求項２】
前記第１の脆弱線の一辺と前記第２の脆弱線の一辺とが共通する脆弱線により形成されていることを特徴とする請求項１に記載の飲料容器用キャップ。
【請求項３】
前記第１の開口部と第２の開口部のいずれかを選択して開口させ、内容物の飲食が可能な請求項１、２いずれか一項に記載の飲料容器用キャップ。
【請求項４】
前記第１のタブを枢動させ前記第１の開口部を形成した状態で前記第１のタブを仮止めする止部が、前記第２の開口部の基端部に形成されていることを特徴とする請求項１ないし３いずれか一項に記載の飲料容器用キャップ。
【請求項５】
前記第１の開口部が飲み口を形成し、前記第２の開口部がストロー挿入口を形成することを特徴とする請求項１ないし４いずれか一項に記載の飲料容器用キャップ。
【請求項６】
前記第１のタブが、突片により形成されていることを特徴とする請求項１ないし５いずれか一項に記載の飲料容器用キャップ。
【請求項７】
前記第１のタブが両端にヒンジを備え、前記第１のタブが前記凹陥部において枢着されていることを特徴とする請求項１ないし６いずれか一項に記載の飲料容器用キャップ。
【請求項８】
熱可塑性樹脂により成形され、
飲料用容器に取付ける装着部と、
該装着部から上方に延出して形成される環状側壁と、
該環状側壁の頂部から内側に形成され、キャップ頂面を形成する上部壁と、
該上部壁の前記環状側壁側に形成された凹陥部と、
該凹陥部の前記環状側壁側に形成されるとともに周囲に破断可能な第１の脆弱線が形成され、前記凹陥部において枢着され、封鎖位置から第１の脆弱線を破断して得られる開口位置へ枢動可能であり、開口位置において第１の開口部を形成する第１のタブと、
該第１のタブの近傍に位置し、周囲に破断可能な第２の脆弱線が形成され、該第２の脆弱線を破断することにより第２の開口部を形成する第２のタブと、
該上部壁の中央に形成され、供給装置によるキャップの吸着に寄与する平坦部を備え、
前記第１のタブを前記上部壁の頂部により形成される頂面より突出しないように形成し、
前記第１の脆弱線の一辺と前記第２の脆弱線の一辺が共通する脆弱線により形成し、
前記第１の開口部が飲み口を形成し、一方、前記第２の開口部がストロー挿入口を形成し、
前記第１の開口部と第２の開口部のいずれかを選択して開口し、内容物の飲食が可能な飲料容器用キャップ。
【考案の詳細な説明】
【技術分野】
【０００１】本考案は、飲料容器用キャップに関するものであり、特に、飲料を食する消費者にとって使い勝手がよく、タンパープルーフ［ＴａｍｐｅｒＰｒｏｏｆ（「いたずら防止」の意味）。以下、本明細書中において「ＴＰ」と称することがある。］用閉止機構を備え、かつ自動生産ラインに対応し生産ラインに乗る飲料容器用キャップに関するものである。
【背景技術】
【０００２】飲料用カップに被せられた状態で販売され、使用時に直接口を付けて飲むことができる飲料用キャップとして、ＴＰ用閉止機構を備え、自動生産ラインに乗り、しかも廉価に提供できる飲料用キャップの出現が待たれている。【０００３】従来、飲料容器用キャップとして、封鎖位置と開口位置に枢動する閉止機構を備え、内容物がこぼれないように容器に装着され、カップ内の限られた寸法の開口部から内容物にアクセスできる飲料用キャップが提案されている。【０００４】また、自動生産ラインに対応でき飲料用カップに収容した状態での飲料の生産を可能とする飲料容器用キャップも提案されている（特許文献１）。
【先行技術文献】
【０００５】
【特許文献１】実開平６−６４５８１
【考案の概要】
【考案が解決しようとする課題】
【０００６】しかしながら、特許文献１に開示された飲料容器用キャップにあっては、
（１）閉止機構が突起片により形成され、この突起片は上部壁の頂面より上部に突出する    構造のため、キャップの積み重ね時に閉止機構同士が干渉しあって、部材の輸送中に    積み重ねられた上下のキャップの閉止機構同士が開いてしまう、
という問題点があった。【０００７】また、特許文献２に開示された飲料容器用キャップにあっては、
（１）供給装置の吸着に必要な面積の確保が優先されるため、飲み口はキャップ外周上に    位置することになり側面方向ないし斜視方向から飲み口が分かりにくい、
（２）外周上に直接飲み口が設けられると口当たりはその直径によることになるが、飲み    口を大きくすると、飲食する者が口の小さな者（例えば、幼児、病人）の場合、飲料    が横漏れする事態を惹起するため、飲み口の口径寸法をあまり大きく形成できない、という問題点が内在している。【０００８】したがって、本考案の目的は、キャップを飲料用カップに被せた状態で飲料が販売されることを前提に、キャップに形成されるＴＰ用閉止機構を部材輸送時に干渉しない構成とするとともに、自動生産ラインに寄与する吸着平面を持ち、しかも生産原価も廉価である飲料容器用キャップを提供することにある。【０００９】本考案の他の目的は、喫飲時に横漏れが起こりにくく使い勝手の良い飲料容器用キャップを提供することにある。
【課題を解決するための手段】
【００１０】本考案に係る飲料容器用キャップは、熱可塑性樹脂により成形され、飲料用容器に取付ける装着部と、該装着部から上方に延出して形成される環状側壁と、該環状側壁の頂部から内側に形成され、キャップ頂面を形成する上部壁と、該上部壁の前記環状側壁側に形成された凹陥部と、該凹陥部の前記環状側壁側に形成されるとともに周囲に破断可能な第１の脆弱線が形成され、前記凹陥部において枢着され、封鎖位置から第１の脆弱線を破断して得られる開口位置へ枢動可能であり、開口位置において第１の開口部を形成する第１のタブと、該第１のタブの近傍に位置し、周囲に破断可能な第２の脆弱線が形成され、該第２の脆弱線を破断することにより第２の開口部を形成する第２のタブと、該上部壁の中央に形成され、供給装置によるキャップの吸着に寄与する平坦部を備え、前記第１のタブを前記上部壁の頂部により形成される頂面より突出しないように形成したことを特徴としている。【００１１】上記第１の脆弱線の一辺と上記第２の脆弱線の一辺とは共通する脆弱線により形成されていることが好ましい。【００１２】また、上記第１の開口部と第２の開口部のいずれかを選択して開口させ、内容物の飲食が可能である。【００１３】上記第１のタブを枢動させ上記第１の開口部を形成した状態で上記第１のタブを仮止めする止部を、上記第２の開口部の基端部に形成することが好ましい。【００１４】上記第１の開口部は飲み口を形成し、上記第２の開口部はストロー挿入口を形成している。【００１５】上記第２の開口部は、指先を差し入れることが可能であり、前記第１のタブに容易に指先がかけられるため、閉止機構をスタックハイト７（Ｓｔａｃｋ  Ｈｅｉｇｈｔ「積み重ね時の部材間高さ」の意味。）内に収めることができる（図２参照）。【００１６】上記第１のタブは、突片により形成することができる。【００１７】上記第１のタブは両端にヒンジを備え、上記第１のタブは上記凹陥部において枢着されている。【００１８】本考案に係る飲料容器用キャップは、熱可塑性樹脂により成形され、飲料用容器に取付ける装着部と、該装着部から上方に延出して形成される環状側壁と、該環状側壁の頂部から内側に形成され、キャップ頂面を形成する上部壁と、該上部壁の前記環状側壁側に形成された凹陥部と、該凹陥部の前記環状側壁側に形成されるとともに周囲に破断可能な第１の脆弱線が形成され、前記凹陥部において枢着され、封鎖位置から第１の脆弱線を破断して得られる開口位置へ枢動可能であり、開口位置において第１の開口部を形成する第１のタブと、該第１のタブの近傍に位置し、周囲に破断可能な第２の脆弱線が形成され、該第２の脆弱線を破断することにより第２の開口部を形成する第２のタブと、該上部壁の中央に形成され、供給装置によるキャップの吸着に寄与する平坦部を備え、前記第１のタブを前記上部壁の頂部により形成される頂面より突出しないように形成し、前記第１の脆弱線の一辺と前記第２の脆弱線の一辺が共通する脆弱線により形成し、前記第１の開口部が飲み口を形成し、一方、前記第２の開口部がストロー挿入口を形成し、前記第１の開口部と第２の開口部のいずれかを選択して開口し内容物の飲食が可能とすることもできる。
【考案の効果】
【００１９】上記構成を備えた本考案によれば、次の効果を奏する。
（１）タンパープルーフ用閉止機構と自動キャッピング仕様が両立するように形成されて    いるため、閉止機構がスタックハイト（積み重ね時の部材間高さ）内に収まり、輸送    時に部材間の干渉がない閉止機構を備えた飲料容器用キャップが得られる。
（２）生産時に供給装置の吸着に必要なだけの面積を有する平坦部を備える飲料容器用キ    ャップが得られる。
（３）つまみに容易に指がかかるように形成できるため、指先を差し入れる開口部をスト    ロー挿入口と兼用できる飲料容器用キャップが得られる。
（４）キャップ頂面に配設される被覆材（一般に「メンコ」と称される。）の有無に依ら    ずに製品の積み上げが容易であるため、包装の簡略化、コストダウンが可能となる飲    料容器用キャップが得られる。
（５）幅を漸進的に遷移させられるよう飲み口を独立させることで、キャップ外周直径の    制約を受けずに、子供から大人まで使いやすい飲み口を備える飲料容器用キャップが    得られる。
【図面の簡単な説明】
【００２０】
【図１】本考案に係る飲料容器用キャップの平面図である。
【図２】飲料容器用キャップが輸送用に積み重ねられた状態を示す断面略図である。
【図３】飲料容器用キャップを飲料用カップに装着した状態を示す斜視図である。
【図４】飲料容器用キャップを装着した飲料用容器の中央縦断面略図である。
【図５】飲料容器用キャップの飲み口を開口し、ストロー挿入口に指先を差し入れた状態を示す斜視図である。
【図６】図５の状態にあるときの飲料容器用キャップの要部断面略図である。
【図７】飲料容器用キャップの飲み口を開口するために、第１のタブを引き開けている状態を示す斜視図である。
【図８】図７の状態にあるときの飲料容器用キャップの要部断面略図である。
【図９】第１のタを枢動させて第１の開口部を形成し第１のタブを仮止めした状態の飲料容器の斜視図である。
【図１０】図９の状態にあるときの飲料容器用キャップの要部断面略図である。
【考案を実施するための形態】
【実施例】
【００２１】以下に、本願の実施例について、図面を用いて説明する。
図１、図２において、飲料容器用キャップ１は、熱可塑性樹脂により成形され、飲料用容器５０に取付ける装着部２と、この装着部２から上方に延出して形成される環状側壁３と、該環状側壁３の頂部から内側に形成され、キャップ頂面を形成する上部壁４と、空気孔５と、前記上部壁４の前記環状側壁側に形成された凹陥部６を備えている。【００２２】前記凹陥部６の前記環状側壁側には、第１のタブ２０が形成されている。この第１のタブ２０は、周囲に破断可能な第１の脆弱線２２が形成され、前記凹陥部６において枢着され、封鎖位置から第１の脆弱線２２を破断して得られる開口位置へ枢動が可能であり、開口位置において第１の開口部２４を形成する。【００２３】また、前記第１のタブ２０の近傍に位置し、周囲に破断可能な第２の脆弱線３２が形成され、この第２の脆弱線３２を破断することにより第２の開口部３４を形成する第２のタブ３０を備えている。【００２４】前記上部壁４の中央には、供給装置１００によるキャップの吸着に寄与する平坦部８を備え、前記第１のタブ２０を前記上部壁４の頂部により形成される頂面９より突出しないように形成されている。【００２５】前記第１の脆弱線２２は２本の脆弱線２２Ａ，２２Ｂにより形成され、また、前記第２の脆弱線３２は３本の脆弱線３２Ａ，３２Ｂ，３２Ｃにより形成され、前記第１の脆弱線２２の一辺２２Ａと前記第２の脆弱線３２の一辺３２Ａとは共通する脆弱線により形成されている（図１、図７、図９参照）。【００２６】前記第１の開口部２４と第２の開口部３４のいずれかを選択して開口させ、内容物の飲食が可能である（図５、図６、図７、図８参照）。【００２７】前記第１のタブ２０を枢動させ前記第１の開口部２４を形成した状態で前記第１のタブ２０を仮止めする止部（ボッチ）３６が、前記第２の開口部３４の基端部に形成されている。【００２８】前記第１の開口部２４は飲み口を形成し、前記第２の開口部３４はストロー挿入口を形成する。【００２９】前記第１のタブ２０は、突片により形成されている。【００３０】前記第１のタブ２０は両端にヒンジ２８，２９を備え、前記第１のタブ２０が前記凹陥部６において枢着されている。【００３１】前記空気孔５は、前記第１の開口部２４（前記第２の開口部３４）とは反対の場所に穿設した小孔により形成される。
【符号の説明】
【００３２】    １        飲料容器用キャップ
２        装着部
３        環状側壁
４        上壁部
５        空気孔
６        凹陥部
７        スタックハイト
８        平坦部
９        頂面
２０        第１のタブ
２２        第１の脆弱線
２４        第１の開口部
２８        ヒンジ
２９        ヒンジ
３０        第２のタブ
３２        第２の脆弱線
３４        第２の開口部
３６        止部
５０        飲料用容器
１００        供給装置
【図１】
0003178179.tif 000003
【図２】
0003178179.tif 000004
【図３】
0003178179.tif 000005
【図４】
0003178179.tif 000006
【図５】
0003178179.tif 000007
【図６】
0003178179.tif 000008
【図７】
0003178179.tif 000009
【図８】
0003178179.tif 000010
【図９】
0003178179.tif 000011
【図１０】
0003178179.tif 000012
【手続補正書】
【提出日】平成24年6月18日(2012.6.18)
【手続補正１】
【補正対象書類名】明細書
【補正対象項目名】００２０
【補正方法】変更
【補正の内容】
【００２０】
【図１】本考案に係る飲料容器用キャップの平面図である。
【図２】飲料容器用キャップが輸送用に積み重ねられた状態を示す断面略図である。
【図３】飲料容器用キャップを飲料用カップに装着した状態を示す斜視図である。
【図４】飲料容器用キャップを装着した飲料用容器の中央縦断面略図である。
【図５】飲料容器用キャップの飲み口を開口し、ストロー挿入口に指先を差し入れた状態を示す斜視図である。
【図６】図５の状態にあるときの飲料容器用キャップの要部断面略図である。
【図７】飲料容器用キャップの飲み口を開口するために、第１のタブを引き開けている状態を示す斜視図である。
【図８】図７の状態にあるときの飲料容器用キャップの要部断面略図である。
【図９】第１のタブを枢動させて第１の開口部を形成し第１のタブを仮止めした状態の飲料容器の斜視図である。
【図１０】図９の状態にあるときの飲料容器用キャップの要部断面略図である。